(57)【特許請求の範囲】
【請求項１】
金属ベース板（58）にスライド可能に支持されている余長収納ケース（48）のケーブル導入部に取り付けられる、ケーブル抗張力線の引留部材であって、
金属製の引留部材本体（32）と、この引留部材本体（32）の前端面に固定された金属製の弾性接触片（38）とからなり、前記引留部材本体（32）は、上面にケーブル抗張力線（12）の引留部を有し、両側面に前記余長収納ケース（48）への取付け部を有しており、前記弾性接触片（38）は、引留部材本体（32）の下面側への延出部（38ｂ）を有し、延出部（38ｂ）の先端部が斜め下方に折り曲げられてガイドスロープ部（38ｃ）となっており、
前記余長収納ケース（48）を金属ベース板（58）に最後まで押し込むと、弾性接触片（38）が金属ベース板（58）の下面に接触するようになっていることを特徴とするケーブル抗張力線の引留部材。
【請求項２】
引留部材本体（32）の余長収納ケース（48）への取付け部が、引留部材本体（32）の両側面に形成された余長収納ケースとの凹凸嵌合部（40）で構成されていることを特徴とする請求項１記載のケーブル抗張力線の引留部材。
【請求項３】
引留部材本体（32）のケーブル抗張力線（12）の引留部が、引留部材本体（32）にねじ込まれた頭付きねじ（34）と、引留部材本体（32）に頭付きねじ（34）の横を通るように突設され、頭付きねじ（34）側の面がケーブル抗張力線（12）を頭付きねじ（34）の頭部の下に案内する傾斜面（Ｋ）となっている突条（42）とで構成されていることを特徴とする請求項１又は２記載のケーブル抗張力線の引留部材。
【発明の詳細な説明】
【０００１】
【発明の属する技術分野】
本発明は、ケーブルの抗張力線を引き留める引留部材に関するものである。
【０００２】
【従来の技術】
光ケーブルを接続箱等に引き込む場合には、光ケーブルのシースを剥いで露出させた抗張力線を、接続箱等のケーブル導入部に引き留める必要がある。このため接続箱等のケーブル導入部には引留部材が固定されている。
【０００３】
従来、この種の引留部材としては例えば図５のようなものが使用されている。図において、10は光ケーブル、12は光ケーブル10のシースを剥いで露出させた抗張力線、14は同じく光ファイバ心線、16は抗張力線12の引留部材、18は引留部材12を固定する金属製のベース板である。ベース板18は例えば光ファイバ心線14の余長を収納する余長収納ケース（図示せず）を支持するものである。
【０００４】
引留部材16は、ベース板18にねじ20によって取り付けられる金属製の台座22と、この台座22に直立するように固定された金属製の円柱体24と、この円柱体24に上端から軸線方向にねじ込まれたねじ26とから構成されている。円柱体24の中間部には軸線と直交する方向に穴28が形成されており、この穴28に抗張力線12を挿通してねじ26を締め付けることにより、抗張力線12を引き留めるようになっている。
金属製の引留部材16を金属製のベース板18に取り付けるのは、抗張力線12をアースに落とすためである。
【０００５】
なお引留部材としては余長収納ケース（プラスチック製）に取り付けられるものもあるが、この場合は、端子付きのアース線を用いて、引留部材とベース板又は接続箱とを電気的に接続し、引留部材をアースに落とす必要がある。
【０００６】
【発明が解決しようとする課題】
光ケーブル10の故障点探索などのため電気的な切り分けを行うときには、抗張力線12とベース板18を電気的に絶縁する必要があるが、その場合、従来の構造では、ねじ20を外して引留部材16をベース板18から取り外すか、ねじ26を弛めて抗張力線12を円柱体24の穴28から引き抜く必要があり、いずれにしても作業が面倒である。なお端子付きアース線を用いた構造の場合も、電気的な切り分けを行うためには、端子を固定しているねじを外す必要があり、同様の問題がある。
【０００７】
また従来の引留部材は、ベース板又は余長収納ケースにねじで固定されているため、引留部材の穴28の位置、方向が決まっており、作業者の作業位置によっては、抗張力線の挿入、ねじ締め作業がやりにくい場合がある。
【０００８】
本発明の目的は、抗張力線とベース板との電気的な接続及び切り分けを簡単に行うことができ、また抗張力線の引留作業を容易に行えるケーブル抗張力線の引留部材を提供することにある。
【０００９】
【課題を解決するための手段】
本発明に係るケーブル抗張力線引留部材は、金属ベース板にスライド可能に支持されている余長収納ケースのケーブル導入部に取り付けられるものであって、
金属製の引留部材本体と、この引留部材本体の前端面に固定された金属製の弾性接触片とからなり、前記引留部材本体は、上面にケーブル抗張力線の引留部を有し、両側面に前記余長収納ケースへの取付け部を有しており、前記弾性接触片は、引留部材本体の下面側への延出部を有し、延出部の先端部が斜め下方に折り曲げられてガイドスロープ部となっており、
前記余長収納ケースを金属ベース板に最後まで押し込むと、弾性接触片が金属ベース板の下面に接触するようになっていることを特徴とするものである。
このようにすると、余長収納ケースを押し込むと引留部材の弾性接触片が金属ベース板に接触し、余長収納ケースを引き出すと引留部材の弾性接触片が金属ベース板と接触しなくなるので、抗張力線と金属ベース板との電気的な接続及び切り分けを簡単に行うことができる。
【００１０】
また本発明に係るケーブル抗張力線引留部材において、引留部材本体の余長収納ケースへの取付け部は、引留部材本体の両側面に形成された余長収納ケースとの凹凸嵌合部で構成されていることが好ましい。
このようにすると、引留部材を余長収納ケースから取り外して抗張力線を引留部材に取り付けることが可能となり、抗張力線の引留作業を容易に行うことができる。
【００１１】
また本発明に係るケーブル抗張力線引留部材において、引留部材本体のケーブル抗張力線の引留部は、引留部材本体にねじ込まれた頭付きねじと、引留部材本体に頭付きねじの横を通るように突設され、頭付きねじ側の面がケーブル抗張力線を頭付きねじの頭部の下に案内する傾斜面となっている突条とで構成されていることが好ましい。
このようにすると、引留部材への抗張力線のねじ留めを容易に、確実に行うことが可能となる。
【００１２】
【発明の実施の形態】
以下、本発明の実施形態を図面を参照して詳細に説明する。
図１（ａ）は本発明の引留部材の一実施形態を示す。この引留部材30は、金属製（例えばアルミダイカスト品）の引留部材本体32と、この引留部材本体32の上面にねじ込まれた２つの頭付きねじ34と、引留部材本体32に止めねじ36によって固定された弾性接触片38とから構成されている。
【００１３】
引留部材本体32の両側面には上下方向に凹凸嵌合部40が形成されている。この凹凸嵌合部40は余長収納ケース（後述）への取付け部である。また引留部材本体32の上面には、２つの頭付きねじ34の間を横切るように２つの突条42が形成されている。この２つの突条42の頭付きねじ34側の面はそれぞれ、抗張力線（後述）を頭付きねじ34の頭部の下に案内する傾斜面Ｋとなっている。傾斜面Ｋの中間部には頭付きねじ34の頭部が当たらないように凹み44が形成されている。また２つの突条40の間は光ファイバ心線（後述）を通す溝46となっている。
【００１４】
弾性接触片38は図１（ｂ）に示すように、ステンレス板のような弾性金属板を90°より若干小さい角度に折り曲げて、引留部材本体32の前端面への固定部38ａと、引留部材本体32の下面側への延出部38ｂとを形成し、延出部38ｂの先端部を斜め下方に折り曲げてガイドスロープ部38ｃを形成したものである。
【００１５】
上記のように構成された引留部材30は図２のように余長収納ケース48に取り付けられる。すなわち、余長収納ケース48のケーブル導入部には、引留部材本体32の両側面の凹凸嵌合部40とかみ合う凹凸嵌合部50が形成されており、引留部材30はその凹凸嵌合部40を余長収納ケース48の凹凸嵌合部50に上から嵌め込むようにして余長収納ケース48に取り付けられる。つまり引留部材30は余長収納ケース48に対し着脱可能である。このため引留部材30への抗張力線12の固定作業は、引留部材30を余長収納ケース48から取り外した状態で行うことが可能となり、作業の自由度が大幅に向上する。
【００１６】
抗張力線12を引留部材30に固定するには、まず頭付きねじ34を弛めておき、２本の抗張力線12を２つの突条42の傾斜面Ｋに沿って間隔を広げながら２つの頭付きねじ34の頭部の下に落とし込む。この状態で２本の抗張力線12は、頭付きねじ34の頭部と軸部と突条42の傾斜面Ｋによって拘束されるため、頭付きねじ34を締め付ける前でも外れることがなく、頭付きねじ34を単に締め付けるだけで、抗張力線12を容易に確実に固定することができる。
【００１７】
また光ケーブル10の光ファイバ心線14は、２つの突条42の間の溝46（図１参照）を通して余長収納ケース48内に導入され、相手方の光ファイバ心線52と接続される。54はその接続部である。余長収納ケース48の外側にはケース補強板56が固定されており、余長収納ケース48はこのケース補強板56を介して金属ベース板58にスライド可能に支持されている。
【００１８】
金属ベース板58は図３に示すように止めねじ60により金属製の接続箱62に固定されている。接続箱62は接地されているので、金属ベース板58もアース電位である。図２及び図３は余長収納ケース48を金属ベース板58から引き出した状態を示しており、余長収納ケース48はプラスチック製であるから、この状態では抗張力線12は接地されていない。
【００１９】
図４（ａ）、（ｂ）は余長収納ケース48を金属ベース板58に押し込んだ状態を示している。余長収納ケース48を金属ベース板58に最後まで押し込むと、引留部材30の弾性接触片38が金属ベース板58の下面に接触するので、抗張力線12は接地された状態となる。つまり抗張力線12は、余長収納ケース48が押し込み位置にあるときは接地され、引き出し位置にあるときは接地されない状態となる。したがって故障点探索等のため電気的な切り分けを行うときは、余長収納ケース48を引き出すだけで簡単に抗張力線12をアースから切り離すことができる。
【００２０】
【発明の効果】
以上説明したように本発明によれば、引留部材本体に弾性接触片を設けたことにより、余長収納ケースを押し込むと引留部材の弾性接触片が金属ベース板に接触し、余長収納ケースを引き出すと引留部材の弾性接触片が金属ベース板と接触しなくなるので、抗張力線とベース板との電気的な接続及び切り分けを簡単に行うことができる。
【００２１】
また引留部材本体の余長収納ケースへの取付け部を、余長収納ケースへの凹凸嵌合部で構成することにより、引留部材を余長収納ケースから取り外して抗張力線を引留部材に取り付けることが可能となり、抗張力線の引留作業を容易に行うことができる。
【図面の簡単な説明】
【図１】  （ａ）は本発明に係る引留部材の一実施形態を示す斜視図、（ｂ）は（ａ）の引留部材に用いた弾性接触片の斜視図。
【図２】  図１（ａ）の引留部材を余長収納ケースに取り付けた状態を示す斜視図。
【図３】  図２の余長収納ケースをスライド可能に支持する金属ベース板の取付け状態を示す斜視図。
【図４】  図２の状態から余長収納ケースを金属ベース板に押し込んだ状態を示す（ａ）は斜視図、（ｂ）は断面図。
【図５】  従来の引留部材の使用状態を示す斜視図。
【符号の説明】
10：光ケーブル
12：抗張力線
14：光ファイバ心線
30：引留部材
32：引留部材本体
34：頭付きねじ
38：弾性接触片
40：凹凸嵌合部
42：突条
Ｋ：傾斜面
46：溝
48：余長収納ケース
50：凹凸嵌合部
54：光ファイバ心線の接続部
56：ケース補強板
58：金属ベース板
60：止めねじ
62：接続箱
【図１】
0003907885.tif 000002
【図２】
0003907885.tif 000003
【図３】
0003907885.tif 000004
【図４】
0003907885.tif 000005
【図５】
0003907885.tif 000006